(57)【要約】  外気処理機は、室内から室内空気を導入する内気導入部及び室内に吹出空気を吹き出す吹出口を有する装置本体と、装置本体に設けられ、室外空気と室内空気との熱交換を行い、熱交換された室外空気を、吹出空気として吹出口から吹き出す全熱交換器と、内気導入部と吹出口とをバイパスする装置本体に設けられたバイパス路を開閉する開閉部と、を備える。
2015173909.tif 000002
【特許請求の範囲】
【請求項１】
室内から室内空気を導入する内気導入部及び室内に吹出空気を吹き出す吹出口を有する装置本体と、
前記装置本体に設けられ、室外空気と前記室内空気との熱交換を行い、熱交換された前記室外空気を、前記吹出空気として前記吹出口から吹き出す全熱交換器と、
前記内気導入部と前記吹出口とをバイパスする前記装置本体に設けられたバイパス路を開閉する開閉部と、を備える
外気処理機。
【請求項２】
前記室内空気が流通する内気路と前記吹出空気が流通する吹出路とは、隣り合っている
請求項１記載の外気処理機。
【請求項３】
前記内気導入部は、
前記装置本体において、前記バイパス路に対向する位置に設けられている
請求項１又は２記載の外気処理機。
【請求項４】
前記室内空気の内気温度を検出する内気温度検出部と、
前記吹出空気の吹出温度を検出する吹出温度検出部と、
前記内気温度検出部において検出された前記内気温度と前記吹出温度検出部において検出された前記吹出温度とに基づいて、前記開閉部の動作を制御する制御部と、を更に備える
請求項１〜３のいずれか１項に記載の外気処理機。
【請求項５】
前記制御部は、
前記内気温度検出部において検出された前記内気温度が、前記吹出温度検出部において検出された前記吹出温度よりも高いか否かを判定する第１の判定手段と、
前記第１の判定手段において、前記内気温度が前記吹出温度よりも高いことが判定された場合、前記吹出温度が、予め決められた閾値吹出温度よりも低いか否かを判定する第２の判定手段と、
前記第２の判定手段において、前記吹出温度が前記閾値吹出温度よりも低いことが判定された場合、前記バイパス路を開くように前記開閉部を制御する開路手段と、を備える
請求項４記載の外気処理機。
【請求項６】
前記制御部は、
前記第１の判定手段において、前記内気温度が前記吹出温度以下であることが判定された場合、前記バイパス路を閉じるように前記開閉部を制御する第１の閉路手段を更に備える
請求項５記載の外気処理機。
【請求項７】
前記制御部は、
前記第２の判定手段において、前記吹出温度が前記閾値吹出温度以上であることが判定された場合、前記バイパス路を閉じるように前記開閉部を制御する第２の閉路手段を更に備える
請求項５又は６記載の外気処理機。
【請求項８】
前記開路手段は、
前記閾値吹出温度から前記吹出温度を減算した差分に基づいて、前記バイパス路に流通する前記室内空気の流通量を調整するように前記開閉部の開度を制御する開度制御手段を備える
請求項５〜７のいずれか１項に記載の外気処理機。
【請求項９】
前記閾値吹出温度は、
設定吹出温度又は設定室温と室内の実際室温との差分が大きくなるに従って、より低く設定されるものである
請求項５〜８のいずれか１項に記載の外気処理機。
【請求項１０】
人の有無を検出する人検出部と、
前記開閉部の動作を制御する制御部と、を更に備え、
前記制御部は、
前記人検出部において検出された人の有無を判定する人判定手段と、
前記人判定手段において人がいないことが判定された場合、前記バイパス路を閉じるように前記開閉部を制御する人対応閉路手段と、
前記人判定手段において人がいることが判定された場合、前記バイパス路を開くように前記開閉部を制御する人対応開路手段と、を備える
請求項１〜９のいずれか１項に記載の外気処理機。
【請求項１１】
前記全熱交換器において前記室外空気が熱交換されて流入する流入空気と冷媒との熱交換を行う外気処理熱交換器と、
前記冷媒を膨張する外気処理膨張部と、を更に備える
請求項１〜１０のいずれか１項に記載の外気処理機。
【請求項１２】
前記バイパス路を流通する前記室内空気は、
前記外気処理熱交換器において熱交換された後の前記吹出空気に混合される
請求項１１記載の外気処理機。
【請求項１３】
請求項１１又は１２記載の外気処理機、圧縮機、室外熱交換器、膨張部及び室内熱交換器が配管により接続された冷媒回路を備える
空気調和機。
【発明の詳細な説明】
【技術分野】
【０００１】
本発明は、全熱交換器を備えた外気処理機及びその外気処理機を有する空気調和機に関する。
【背景技術】
【０００２】
従来より、空気調和機の室内機及び室外機に接続された外気処理熱交換器（直膨コイル）を備える外気処理機が知られている。この外気処理機においては、外気処理熱交換器を通過して室内に吹き出す吹出空気が、室内機及び室外機によって冷却されている。このため、吹出空気の温度が低下し易く、室内の居住者の快適性を顕著に損なう虞がある。【０００３】
この問題を解決するため、外気処理機から室内に吹き出す吹出空気をレヒート（再加熱）して、暖められた吹出空気を吹き出す外気処理機が提案されている。なお、このレヒートは、例えば電熱ヒータ又は加熱コイル（凝縮器の一部）を用いて実施される。また、特許文献１には、室内に吹き出す吹出空気の流量を調節するシャッタ、及び吹出空気の向きを案内する偏向部を備え、空気調和用ダクトに接続された吹出口装置が開示されている。この特許文献１は、シャッタ及び偏向部を調整することにより、吹出口毎に吹出空気の流量を調節し、空気調和の効率性を高めようとするものである。
【先行技術文献】
【特許文献】
【０００４】
【特許文献１】特開平１１−５１４５６号公報（請求項１、第３頁〜第４頁）
【発明の概要】
【発明が解決しようとする課題】
【０００５】
しかしながら、レヒート機能を備える外気処理機は、電熱ヒータ又は加熱コイル等を使用するため、消費電力が増加する。また、このレヒートを実現するために、バルブ又は膨張弁等が必要となり、製造コストも増加する。更に、特許文献１に開示された吹出口装置も、シャッタ及び偏向部等の部品が必要となり、部品点数が増加し、製造コストが増加してしまう。【０００６】
本発明は、上記のような課題を背景としてなされたもので、コストの上昇を抑えつつ居住者の快適性を向上させる外気処理機及びその外気処理機を有する空気調和機を提供するものである。
【課題を解決するための手段】
【０００７】
本発明に係る外気処理機は、室内から室内空気を導入する内気導入部及び室内に吹出空気を吹き出す吹出口を有する装置本体と、装置本体に設けられ、室外空気と室内空気との熱交換を行い、熱交換された室外空気を、吹出空気として吹出口から吹き出す全熱交換器と、内気導入部と吹出口とをバイパスする装置本体に設けられたバイパス路を開閉する開閉部と、を備える。
【発明の効果】
【０００８】
本発明によれば、開閉部によってバイパス路を開き、このバイパス路から室内空気を吹出空気に導入する。これにより、コストの上昇を抑えつつ居住者の快適性を向上させることができる。
【図面の簡単な説明】
【０００９】
【図１】実施の形態１に係る空気調和機２を示す模式図である。
【図２】実施の形態１に係る空気調和機２の冷媒回路６を示す模式図である。
【図３】実施の形態１に係る外気処理機１を示す模式図である。
【図４】実施の形態１における制御部６０を示すブロック図である。
【図５】実施の形態１に係る外気処理機１の動作を示すフローチャートである。
【図６】実施の形態２に係る空気調和機１０２を示す模式図である。
【図７】実施の形態３に係る外気処理機２００を示す模式図である。
【図８】実施の形態４に係る外気処理機３００を示す模式図である。
【図９】実施の形態４における制御部３６０を示すブロック図である。
【図１０】実施の形態４に係る外気処理機３００の動作を示すフローチャートである。
【発明を実施するための形態】
【００１０】
以下、本発明に係る外気処理機及び空気調和機の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１１】
実施の形態１．
図１は、実施の形態１に係る空気調和機２を示す模式図である。この図１に基づいて、空気調和機２について説明する。空気調和機２は、外気処理機１と、２台の室内機３と、１台の室外機４とが配管５によって接続されている。このうち、外気処理機１及び２台の室内機３は、建物７の天井裏９に設置されており、室外機４は、建物７の屋上１０に設置されている。外気処理機１は、室外ダクト１１によって室外と接続されており、また、室内ダクト１２によって室内８と接続されている。なお、外気処理機１は、複数台設置されていてもよい。また、室内機３も、１台のみ設置されていてもよく、複数台設置されていてもよい。
【００１２】
図２は、実施の形態１に係る空気調和機２の冷媒回路６を示す模式図である。図２に示すように、室外機４は、冷媒を圧縮する圧縮機２１、冷媒の流通方向を切り換える四方弁２２及び室外空気と冷媒との熱交換を行う室外熱交換器２３を備えている。また、この室外熱交換器２３の近傍には、室外送風機２４が設置され、この室外送風機２４によって、室外熱交換器２３に室外空気が供給される。なお、圧縮機２１の吸入側には、周波数調整部２１ａが設けられており、この周波数調整部２１ａは、圧縮機２１の周波数を調整するものである。また、圧縮機２１の吸入側には、蒸発温度検出部２１ｂが設けられており、この蒸発温度検出部２１ｂは、室内熱交換器２６又は室外熱交換器２３から流出した冷媒の蒸発温度を検出するものである。
【００１３】
そして、室内機３は、冷媒を膨張する膨張部２５及び室内空気と冷媒との熱交換を行う室内熱交換器２６を備えている。この室内熱交換器２６の近傍にも、室内送風機２７が設置され、この室内送風機２７によって、室内熱交換器２６に室内空気が供給される。なお、室内熱交換器２６には、吸込温度検出部２６ａが設けられており、この吸込温度検出部２６ａは、室内送風機２７によって供給される室内空気の温度を検出するものである。
【００１４】
外気処理機１には、冷媒を膨張する外気処理膨張部３６及び流入空気ＳＡｉｎと冷媒との熱交換を行う外気処理熱交換器３５が設置されている。この外気処理機１の近傍には、吹出送風機３８が設置されている。空気調和機２における冷媒回路６において、外気処理機１における外気処理膨張部３６及び外気処理熱交換器３５は、膨張部２５及び室内熱交換器２６に対し並列に接続されている。このように、空気調和機２における冷媒回路６は、外気処理機１、圧縮機２１、四方弁２２、室外熱交換器２３、膨張部２５及び室内熱交換器２６が配管５で接続されている。
【００１５】
空気調和機２の冷媒回路６において、冷房運転の際、圧縮機２１、四方弁２２、室外熱交換器２３の順に冷媒が流通する。その後、冷媒が分岐し、室内機３においては、膨張部２５、室内熱交換器２６の順に流通し、外気処理機１においては、外気処理膨張部３６、外気処理熱交換器３５の順に流通する。そして、冷媒が合流し、四方弁２２に流通し、圧縮機２１に吸入される。
【００１６】
図３は、実施の形態１に係る外気処理機１を示す模式図である。図３に示すように、外気処理機１は、外気を室内８に取り込む際に外気負荷を処理する機能を備えた換気装置であり、装置本体３１と、全熱交換器３２（上流熱交換器）と、排気送風機３７と、外気処理熱交換器３５（下流熱交換器）と、吹出送風機３８とを備えている。
【００１７】
装置本体３１は、外気導入部４１と、内気導入部４２と、排気口４３と、吹出口４４とを備えている。外気導入部４１は、室外空気ＯＡを導入する開口であり、外気導入部４１から導入された室外空気ＯＡが、室外空気ＯＡが流通する外気路４１ａを通って、全熱交換器３２に流入する。また、内気導入部４２は、室内空気ＲＡを導入する開口であり、内気導入部４２から導入された室内空気ＲＡが、室内空気ＲＡが流通する内気路４２ａを通って、全熱交換器３２に流入する。そして、これらの外気導入部４１と内気導入部４２とは、互いに向かい合っている。
【００１８】
また、排気口４３は、排気空気ＥＡを排気する開口であり、全熱交換器３２において熱交換された室内空気ＲＡが、排気空気ＥＡとして排気空気ＥＡが流通する排気路４３ａを通って、排気口４３から排気される。更に、吹出口４４は、吹出空気ＳＡを吹き出す開口であり、全熱交換器３２において熱交換された室外空気ＯＡが、流入空気ＳＡｉｎとなって流入空気ＳＡｉｎが流通する流入路４５を通り、更に、外気処理熱交換器３５を通過して、吹出空気ＳＡが流通する吹出路４４ａを通り、吹出口４４から吹き出す。そして、これらの排気口４３と吹出口４４とも、互いに向かい合っている。また、室内空気ＲＡが流通する内気路４２ａと吹出空気ＳＡが流通する吹出路４４ａとは、隣り合っている。
【００１９】
全熱交換器３２は、装置本体３１に設けられ、室外空気ＯＡと室内空気ＲＡとの熱交換を行うものである。全熱交換器３２において熱交換された室内空気ＲＡは、排気送風機３７によって、排気空気ＥＡとして、室外に排気される。また、全熱交換器３２において熱交換された室外空気ＯＡは、外気処理熱交換器３５に流入空気ＳＡｉｎとして流入する。外気処理熱交換器３５は、この流入空気ＳＡｉｎと、冷媒回路６における冷媒との熱交換を行うものであり、熱交換された流入空気ＳＡｉｎは、吹出送風機３８によって、吹出空気ＳＡとして、室内８に吹き出される。このように、全熱交換器３２は、装置本体３１に設けられ、室外空気ＯＡと室内空気ＲＡとの熱交換を行い、熱交換された室外空気ＯＡを、吹出空気ＳＡとして吹出口４４から吹き出すものである。
【００２０】
外気処理機１には、内気温度検出部５２と、吹出温度検出部５３と、外気温度検出部５１とが設けられている。内気温度検出部５２は、室内空気ＲＡの内気温度Ｔｒａを検出するものであり、例えば内気路４２ａにおいて、室内空気ＲＡを導入する内気導入部４２に設けられている。また、吹出温度検出部５３は、吹出空気ＳＡの吹出温度Ｔｓａを検出するものであり、例えば吹出路４４ａにおいて、吹出空気ＳＡを吹き出す吹出口４４に設けられている。更に、外気温度検出部５１は、室外空気ＯＡの温度を検出するものであり、例えば外気路４１ａにおいて、室外空気ＯＡを導入する外気導入部４１に設けられている。
【００２１】
装置本体３１において、前述の如く、内気路４２ａと吹出路４４ａとは隣接しており、一部が開口されてバイパス路３３となっている。このバイパス路３３は、内気導入部４２と吹出口４４とをバイパスするものである。そして、このバイパス路３３には、バイパス路３３を開閉する開閉部３４が設けられている。即ち、開閉部３４は、内気導入部４２と吹出口４４とをバイパスする装置本体３１に設けられたバイパス路３３を開閉するものである。開閉部３４によってバイパス路３３が開かれることにより、室内空気ＲＡの一部が、バイパス路３３を通って、吹出路４４ａにおいて吹出空気ＳＡと混合して、外気処理機１から吹き出す。即ち、バイパス路３３を流通する室内空気ＲＡは、外気処理熱交換器３５において熱交換された後の吹出空気ＳＡに混合される。また、この開閉部３４は、例えばダンパによって構成されており、その開度が調節されることによって、バイパス路３３に流通する室内空気ＲＡの流通量が調整され、室内空気ＲＡと吹出空気ＳＡとの混合比率が調整される。
【００２２】
また、外気処理機１は、内気温度検出部５２において検出された内気温度Ｔｒａと吹出温度検出部５３において検出された吹出温度Ｔｓａとに基づいて、開閉部３４の動作を制御する制御部６０を備えている。図４は、実施の形態１における制御部６０を示すブロック図である。図４に示すように、制御部６０は、第１の判定手段６１と、第２の判定手段６２と、開路手段６３と、第１の閉路手段６５と、第２の閉路手段６６とを備えている。
【００２３】
第１の判定手段６１は、内気温度検出部５２において検出された内気温度Ｔｒａが、吹出温度検出部５３において検出された吹出温度Ｔｓａよりも高いか否かを判定するものである。また、第２の判定手段６２は、第１の判定手段６１において、内気温度Ｔｒａが吹出温度Ｔｓａよりも高いことが判定された場合、吹出温度検出部５３において検出された吹出温度Ｔｓａが、予め決められた閾値吹出温度Ｔｓａ＿ｔｈよりも低いか否かを判定するものである。なお、この閾値吹出温度Ｔｓａ＿ｔｈは、設定吹出温度又は設定室温と、現在の室内８の実際室温との差分が大きくなるに従って、より低く設定されるものである。この場合、例えば、制御部６０は、設定吹出温度又は設定室温と実際室温との差分と、閾値吹出温度Ｔｓａ＿ｔｈとの関係が記憶されたテーブルを備えており、これに基づいて第２の判定手段６２における判定が行われる。また、閾値吹出温度Ｔｓａ＿ｔｈは、時間が経過するごとに、高く設定されるようにすることもできる。
【００２４】
一方、第１の閉路手段６５は、第１の判定手段６１において、内気温度Ｔｒａが吹出温度Ｔｓａ以下であることが判定された場合、バイパス路３３を閉じるように開閉部３４を制御するものである。そして、第２の閉路手段６６は、第２の判定手段６２において、吹出温度Ｔｓａが閾値吹出温度Ｔｓａ＿ｔｈ以上であることが判定された場合、バイパス路３３を閉じるように開閉部３４を制御するものである。
【００２５】
開路手段６３は、第２の判定手段６２において、吹出温度Ｔｓａが閾値吹出温度Ｔｓａ＿ｔｈよりも低いことが判定された場合、バイパス路３３を開くように開閉部３４を制御するものである。更に、開路手段６３は、開度制御手段６４を備えている。この開度制御手段６４は、閾値吹出温度Ｔｓａ＿ｔｈから吹出温度Ｔｓａを減算した差分に基づいて、バイパス路３３に流通する室内空気ＲＡの流通量を調整するように開閉部３４の開度を制御するものである。例えば、開閉部３４は、この差分に比例して、開度が開かれるように構成することができる。この場合、閾値吹出温度Ｔｓａ＿ｔｈが一定であるとすると、差分が大きいほど、吹出温度Ｔｓａは低い。このとき、開閉部３４の開度が大きく開けられて、室内空気ＲＡの流通量が増え、吹出空気ＳＡがより暖められる。
【００２６】
次に、冷媒回路６における動作について説明する。先ず、冷房運転について説明する。圧縮機２１は、冷媒を吸入し、この冷媒を圧縮して高温高圧のガスの状態で吐出する。この吐出された冷媒は、四方弁２２を通過した後、室外熱交換器２３に流入し、室外熱交換器２３は、室外空気との熱交換により、冷媒を凝縮する。この凝縮された冷媒は、二方向に分岐して、一方は、室内機３に流入し、他方は、外気処理機１に流入する。室内機３に流入した冷媒は、先ず、室内機３における膨張部２５に流入し、膨張部２５は、凝縮された冷媒を減圧する。そして、減圧された冷媒は、室内熱交換器２６に流入し、室内熱交換器２６は、室内送風機２７から供給される室内空気との熱交換により、冷媒を蒸発する。これにより、室内８が冷房される。
【００２７】
また、外気処理機１に流入した冷媒は、先ず、外気処理機１における外気処理膨張部３６に流入し、外気処理膨張部３６は、凝縮された冷媒を減圧する。そして、減圧された冷媒は、外気処理熱交換器３５に流入し、外気処理熱交換器３５は、外気処理機１に流通する流入空気ＳＡｉｎとの熱交換により、冷媒を蒸発する。これにより、流入空気ＳＡｉｎが冷却され、吹出空気ＳＡとして室内８に吹き出される。そして、室内熱交換器２６において蒸発された冷媒と、外気処理熱交換器３５において蒸発された冷媒とが合流し、合流した冷媒は、四方弁２２を通って、圧縮機２１に吸入される。
【００２８】
次に、暖房運転について説明する。圧縮機２１は、冷媒を吸入し、この冷媒を圧縮して高温高圧のガスの状態で吐出する。この吐出された冷媒は四方弁２２を通過した後、二方向に分岐して、一方は、室内機３に流入し、他方は、外気処理機１に流入する。室内機３に流入した冷媒は、先ず、室内機３における室内熱交換器２６に流入し、室内熱交換器２６は、室内送風機２７から供給される室内空気との熱交換により、冷媒を凝縮する。これにより、室内８が暖房される。その後、凝縮された冷媒は、膨張部２５に流入し、膨張部２５は、凝縮された冷媒を減圧する。また、外気処理機１に流入した冷媒は、先ず、外気処理機１における外気処理熱交換器３５に流入し、外気処理熱交換器３５は、外気処理機１に流通する流入空気ＳＡｉｎとの熱交換により、冷媒を凝縮する。これにより、流入空気ＳＡｉｎが加熱され、吹出空気ＳＡとして室内８に吹き出される。外気処理熱交換器３５において凝縮された冷媒は、外気処理膨張部３６に流入し、外気処理膨張部３６は、凝縮された冷媒を膨張する。
【００２９】
そして、膨張部２５において減圧された冷媒と、外気処理膨張部３６において減圧された冷媒とが、合流する。この合流した冷媒は、室外熱交換器２３に流入し、室外熱交換器２３は、室外空気との熱交換により、冷媒を蒸発する。そして、蒸発された冷媒は、四方弁２２を通って、圧縮機２１に吸入される。
【００３０】
次に、本実施の形態１に係る外気処理機１の動作について説明する。図５は、実施の形態１に係る外気処理機１の動作を示すフローチャートである。図５に示すように、制御が開始された後、先ず、内気温度検出部５２によって内気温度Ｔｒａが検出される（ステップＳ１）。そして、吹出温度検出部５３によって吹出温度Ｔｓａが検出される（ステップＳ２）。その後、第１の判定手段６１によって、内気温度検出部５２において検出された内気温度Ｔｒａが、吹出温度検出部５３において検出された吹出温度Ｔｓａよりも高いか否かが判定される（ステップＳ３）。第１の判定手段６１によって、内気温度Ｔｒａが吹出温度Ｔｓａ以下であることが判定された場合（ステップＳ３のＮｏ）、第１の閉路手段６５によって、バイパス路３３を閉じるように開閉部３４が制御される（ステップＳ４）。その後、制御が終了する。
【００３１】
一方、ステップＳ３において、第１の判定手段６１によって、内気温度Ｔｒａが吹出温度Ｔｓａよりも高いことが判定された場合（ステップＳ３のＹｅｓ）、第２の判定手段６２によって、吹出温度検出部５３において検出された吹出温度Ｔｓａが、予め決められた閾値吹出温度Ｔｓａ＿ｔｈよりも低いか否かが判定される（ステップＳ５）。この閾値吹出温度Ｔｓａ＿ｔｈは、前述の如く、設定吹出温度又は設定室温と、現在の室内８の実際室温との差分が大きくなるに従って、より低く設定されるものである。なお、閾値吹出温度Ｔｓａ＿ｔｈは、時間が経過するごとに、高く設定されるようにすることもできる。第２の判定手段６２によって、吹出温度Ｔｓａが閾値吹出温度Ｔｓａ＿ｔｈ以上であることが判定された場合（ステップＳ５のＮｏ）、第２の閉路手段６６によって、バイパス路３３を閉じるように開閉部３４が制御される（ステップＳ６）。その後、制御が終了する。
【００３２】
これに対し、ステップＳ５において、第２の判定手段６２によって、吹出温度Ｔｓａが閾値吹出温度Ｔｓａ＿ｔｈよりも低いことが判定された場合（ステップＳ５のＹｅｓ）、開路手段６３によって、バイパス路３３を開くように開閉部３４が制御される（ステップＳ７）。なお、開閉部３４の開度は、閾値吹出温度Ｔｓａ＿ｔｈから吹出温度Ｔｓａを減算した差分に基づいて制御される。その後、制御が終了する。
【００３３】
以上説明したように、本実施の形態１に係る外気処理機１は、開閉部３４によってバイパス路３３を開き、このバイパス路３３から室内空気ＲＡを吹出空気ＳＡに導入する。これにより、冷房運転時に、外気処理機１から室内８に吹き出す吹出空気ＳＡが低温になった場合でも、この吹出空気ＳＡが、暖かい室内空気ＲＡと混合されて暖められる。従って、室内８に吹き出す吹出空気ＳＡが暖かくなり、居住者の快適性を向上させることができる。また、本実施の形態１は、これを実現するために、レヒート機能を付加する必要がないため、外気処理機１のコストの上昇を抑えることができる。
【００３４】
また、ステップＳ４において、第１の閉路手段６５が、第１の判定手段６１において、内気温度Ｔｒａが吹出温度Ｔｓａ以下であることが判定された場合、バイパス路３３を閉じるように開閉部３４を制御する。内気温度Ｔｒａが吹出温度Ｔｓａ以下である場合、吹出空気ＳＡに室内空気ＲＡが混合されても、冷却されてしまう。本実施の形態１は、第１の閉路手段６５が、バイパス路３３を閉じるように開閉部３４を制御するため、吹出空気ＳＡが冷やされることを防止することができる。
【００３５】
更に、ステップＳ６において、第２の閉路手段６６が、第２の判定手段６２において、吹出温度Ｔｓａが閾値吹出温度Ｔｓａ＿ｔｈ以上であることが判定された場合、バイパス路３３を閉じるように開閉部３４を制御する。内気温度Ｔｒａが吹出温度Ｔｓａより高くても、吹出温度Ｔｓａが閾値吹出温度Ｔｓａ＿ｔｈ以上であれば、吹出空気ＳＡを暖める必要はない。本実施の形態１は、第２の閉路手段６６が、バイパス路３３を閉じるように開閉部３４を制御するため、吹出空気ＳＡが過剰に冷やされることを防止することができる。
【００３６】
なお、閾値吹出温度Ｔｓａ＿ｔｈは、設定吹出温度又は設定室温と、現在の室内８の実際室温との差分が大きくなるに従って、より低く設定されるものである。例えば、夏期のような室内８の実際室温が高い場合、室内８を直ちに冷却するために、設定吹出温度又は設定室温が低く設定される。従って、設定吹出温度又は設定室温と、現在の室内８の実際室温との差分が大きくなる。これにより、閾値吹出温度Ｔｓａ＿ｔｈが低く設定され、従って、第２の判定手段６２において、吹出温度Ｔｓａが閾値吹出温度Ｔｓａ＿ｔｈ以上であることが判定され易い。よって、第２の閉路手段６６によって、バイパス路３３を閉じるように開閉部３４が制御され易く、吹出空気ＳＡは暖められない。これにより、吹出空気ＳＡは冷たいままであり、下記のような室内８の室温が高い場合には、室内８を直ちに冷却することができる。これにより、起動時の負荷を低減することもできるため、省エネルギに資する。
【００３７】
更にまた、ステップＳ７において、開路手段６３が、第２の判定手段６２において、吹出温度Ｔｓａが閾値吹出温度Ｔｓａ＿ｔｈよりも低いことが判定された場合、バイパス路３３を開くように開閉部３４を制御する。内気温度Ｔｒａが吹出温度Ｔｓａより高く、且つ、吹出温度Ｔｓａが閾値吹出温度Ｔｓａ＿ｔｈよりも低い場合、吹出空気ＳＡを暖める必要がある。本実施の形態１は、開路手段６３が、バイパス路３３を開くように開閉部３４を制御するため、吹出空気ＳＡに室内空気ＲＡが混合されて、加熱される。従って、室内８に吹き出す吹出空気ＳＡが暖かくなり、居住者の快適性を向上させることができる。
【００３８】
実施の形態２．
次に、実施の形態２に係る空気調和機１０２について説明する。図６は、実施の形態２に係る空気調和機１０２を示す模式図である。本実施の形態２は、外気処理機１００が、建物７の屋上１０に設置されている点で、実施の形態１と相違する。本実施の形態２では、実施の形態１と共通する部分は同一の符号を付して説明を省略し、実施の形態１との相違点を中心に説明する。
【００３９】
本実施の形態２では、図６に示すように、外気処理機１００が、建物７の屋上１０に設置されている。そして、２個の室内ダクト１２によって、室内８と接続されており、これにより、室内空気ＲＡの導入及び吹出空気ＳＡの吹き出しが行われる。また、外気処理機１００は、室外ダクト１１を介さずに、室外と直接接続されている。この本実施の形態２に係る外気処理機１００は、実施の形態１と同様の効果を奏する。
【００４０】
実施の形態３．
次に、実施の形態３に係る空気調和機２０２について説明する。図７は、実施の形態３に係る外気処理機２００を示す模式図である。本実施の形態３は、装置本体３１において、内気導入部４２が設置された位置が、実施の形態１と相違する。本実施の形態３では、実施の形態１と共通する部分は同一の符号を付して説明を省略し、実施の形態１との相違点を中心に説明する。
【００４１】
本実施の形態３では、図７に示すように、内気導入部４２が、装置本体３１において、バイパス路３３に対向する位置に設けられている。これにより、バイパス路３３が開いている場合、室内空気ＲＡは、バイパス路３３に導かれ易い。従って、吹出空気ＳＡが室内空気ＲＡによって暖められ易いという効果を奏する。なお、内気導入部４２が設置される位置は、適宜変更することができる。また、図７においては、室外空気ＯＡの流れる方向と室内空気ＲＡの流れる方向とが垂直になるように、内気導入部４２が設けられている。このように設置された内気導入部４２は、実施の形態２における外気処理機１００のように、建物７の屋上１０に設置された場合に、室内８と接続され易くなるため、特に有効である。
【００４２】
実施の形態４．
次に、実施の形態４に係る空気調和機３０２について説明する。図８は、実施の形態４に係る外気処理機３００を示す模式図である。本実施の形態４は、人検出部３５４を備えている点で、実施の形態１と相違し、また、制御部３６０の構成が実施の形態１と相違する。本実施の形態４では、実施の形態１と共通する部分は同一の符号を付して説明を省略し、実施の形態１との相違点を中心に説明する。
【００４３】
図８に示すように、外気処理機３００は、人の有無を検出する人検出部３５４を備えている。図９は、実施の形態４における制御部３６０を示すブロック図である。図９に示すように、制御部３６０は、人判定手段３６１と、人対応閉路手段３６３と、人対応開路手段３６２とを備えている。人判定手段３６１は、人検出部３５４において検出された人の有無を判定するものである。また、人対応閉路手段３６３は、人判定手段３６１において人がいないことが判定された場合、バイパス路３３を閉じるように開閉部３４を制御するものである。更に、人対応開路手段３６２は、人判定手段３６１において人がいることが判定された場合、バイパス路３３を開くように開閉部３４を制御するものである。
【００４４】
次に、本実施の形態４に係る外気処理機３００の動作について説明する。図１０は、実施の形態４に係る外気処理機３００の動作を示すフローチャートである。図１０に示すように、制御が開始された後、先ず、人検出部３５４によって人の有無が検出される（ステップＳ１１）。そして、人判定手段３６１によって、人検出部３５４において検出された人の有無が判定される（ステップＳ１２）。人判定手段３６１によって、人がいないことが判定された場合（ステップＳ１２のＮｏ）、人対応閉路手段３６３によって、バイパス路３３を閉じるように開閉部３４が制御される（ステップＳ１３）。その後、制御が終了する。
【００４５】
これに対し、ステップＳ１２において、人判定手段３６１によって、人がいることが判定された場合（ステップＳ１２のＹｅｓ）、人対応開路手段３６２によって、バイパス路３３を開くように開閉部３４が制御される（ステップＳ１４）。その後、制御が終了する。
【００４６】
このように、本実施の形態４に係る外気処理機３００は、ステップＳ１３において、人対応閉路手段３６３が、人判定手段３６１において人がいないことが判定された場合、バイパス路３３を閉じるように開閉部３４を制御する。人がいない領域においては、吹出空気ＳＡを暖める必要がない。本実施の形態４は、人対応閉路手段３６３が、バイパス路３３を閉じるように開閉部３４を制御するため、吹出空気ＳＡが無駄に冷やされることを防止することができる。
【００４７】
また、ステップＳ１４において、人対応開路手段３６２が、人判定手段３６１において人がいることが判定された場合、バイパス路３３を開くように開閉部３４を制御する。これにより、人がいる領域においては、室内空気ＲＡと混合されて暖められた吹出空気ＳＡが吹き出される。従って、居住者の快適性を向上させることができる。
【００４８】
なお、実施の形態１〜３の構成と実施の形態４の構成とを組み合わせた外気処理機とすることも可能である。
【符号の説明】
【００４９】
１  外気処理機、２  空気調和機、３  室内機、４  室外機、５  配管、６  冷媒回路、７  建物、８  室内、９  天井裏、１０  屋上、１１  室外ダクト、１２  室内ダクト、２１  圧縮機、２１ａ  周波数調整部、２１ｂ  蒸発温度検出部、２２  四方弁、２３  室外熱交換器、２４  室外送風機、２５  膨張部、２６  室内熱交換器、２６ａ  吸込温度検出部、２７  室内送風機、３１  装置本体、３２  全熱交換器、３３  バイパス路、３４  開閉部、３５  外気処理熱交換器、３６  外気処理膨張部、３７  排気送風機、３８  吹出送風機、４１  外気導入部、４１ａ  外気路、４２  内気導入部、４２ａ  内気路、４３  排気口、４３ａ  排気路、４４  吹出口、４４ａ  吹出路、４５  流入路、５１  外気温度検出部、５２  内気温度検出部、５３  吹出温度検出部、６０  制御部、６１  第１の判定手段、６２  第２の判定手段、６３  開路手段、６４  開度制御手段、６５  第１の閉路手段、６６  第２の閉路手段、１００  外気処理機、１０２  空気調和機、  ２００  外気処理機、２０２  空気調和機、３００  外気処理機、３０２  空気調和機、３５４  人検出部、３６０  制御部、３６１  人判定手段、３６２  人対応開路手段、３６３  人対応閉路手段。
【図１】
2015173909.tif 000003
【図２】
2015173909.tif 000004
【図３】
2015173909.tif 000005
【図４】
2015173909.tif 000006
【図５】
2015173909.tif 000007
【図６】
2015173909.tif 000008
【図７】
2015173909.tif 000009
【図８】
2015173909.tif 000010
【図９】
2015173909.tif 000011
【図１０】
2015173909.tif 000012
【手続補正書】
【提出日】平成28年7月26日(2016.7.26)
【手続補正１】
【補正対象書類名】明細書
【補正対象項目名】０００７
【補正方法】変更
【補正の内容】
【０００７】
本発明に係る外気処理機は、室内から室内空気を導入する内気導入部及び室内に吹出空気を吹き出す吹出口を有する装置本体と、装置本体に設けられ、室外空気と室内空気との熱交換を行い、熱交換された室外空気を、吹出空気として吹出口に導く全熱交換器と、内気導入部と吹出口とをバイパスする装置本体に設けられたバイパス路を開閉する開閉部と、室内空気の内気温度を検出する内気温度検出部と、吹出空気の吹出温度を検出する吹出温度検出部と、内気温度検出部において検出された内気温度と吹出温度検出部において検出された吹出温度とに基づいて、開閉部の動作を制御する制御部と、を備える。
【手続補正２】
【補正対象書類名】特許請求の範囲
【補正対象項目名】全文
【補正方法】変更
【補正の内容】
【特許請求の範囲】
【請求項１】
室内から室内空気を導入する内気導入部及び室内に吹出空気を吹き出す吹出口を有する装置本体と、
前記装置本体に設けられ、室外空気と前記室内空気との熱交換を行い、熱交換された前記室外空気を、前記吹出空気として前記吹出口に導く全熱交換器と、
前記内気導入部と前記吹出口とをバイパスする前記装置本体に設けられたバイパス路を開閉する開閉部と、
前記室内空気の内気温度を検出する内気温度検出部と、
前記吹出空気の吹出温度を検出する吹出温度検出部と、
前記内気温度検出部において検出された前記内気温度と前記吹出温度検出部において検出された前記吹出温度とに基づいて、前記開閉部の動作を制御する制御部と、を備える
外気処理機。
【請求項２】
前記制御部は、
前記内気温度検出部において検出された前記内気温度が、前記吹出温度検出部において検出された前記吹出温度よりも高いか否かを判定する第１の判定手段と、
前記第１の判定手段において、前記内気温度が前記吹出温度よりも高いことが判定された場合、前記吹出温度が、予め決められた閾値吹出温度よりも低いか否かを判定する第２の判定手段と、
前記第２の判定手段において、前記吹出温度が前記閾値吹出温度よりも低いことが判定された場合、前記バイパス路を開くように前記開閉部を制御する開路手段と、を備える
請求項１記載の外気処理機。
【請求項３】
前記制御部は、
前記第１の判定手段において、前記内気温度が前記吹出温度以下であることが判定された場合、前記バイパス路を閉じるように前記開閉部を制御する第１の閉路手段を更に備える
請求項２記載の外気処理機。
【請求項４】
前記制御部は、
前記第２の判定手段において、前記吹出温度が前記閾値吹出温度以上であることが判定された場合、前記バイパス路を閉じるように前記開閉部を制御する第２の閉路手段を更に備える
請求項２又は３記載の外気処理機。
【請求項５】
前記開路手段は、
前記閾値吹出温度から前記吹出温度を減算した差分に基づいて、前記バイパス路に流通する前記室内空気の流通量を調整するように前記開閉部の開度を制御する開度制御手段を備える
請求項２〜４のいずれか１項に記載の外気処理機。
【請求項６】
前記閾値吹出温度は、
設定吹出温度又は設定室温と室内の実際室温との差分が大きくなるに従って、より低く設定されるものである
請求項２〜５のいずれか１項に記載の外気処理機。
【請求項７】
室内から室内空気を導入する内気導入部及び室内に吹出空気を吹き出す吹出口を有する装置本体と、
前記装置本体に設けられ、室外空気と前記室内空気との熱交換を行い、熱交換された前記室外空気を、前記吹出空気として前記吹出口に導く全熱交換器と、
前記内気導入部と前記吹出口とをバイパスする前記装置本体に設けられたバイパス路を開閉する開閉部と、
人の有無を検出する人検出部と、
前記開閉部の動作を制御する制御部と、を備え、
前記制御部は、
前記人検出部において検出された人の有無を判定する人判定手段と、
前記人判定手段において人がいないことが判定された場合、前記バイパス路を閉じるように前記開閉部を制御する人対応閉路手段と、
前記人判定手段において人がいることが判定された場合、前記バイパス路を開くように前記開閉部を制御する人対応開路手段と、を備える
外気処理機。
【請求項８】
室内から室内空気を導入する内気導入部及び室内に吹出空気を吹き出す吹出口を有する装置本体と、
前記装置本体に設けられ、室外空気と前記室内空気との熱交換を行い、熱交換された前記室外空気を、前記吹出空気として前記吹出口に導く全熱交換器と、
前記内気導入部と前記吹出口とをバイパスする前記装置本体に設けられたバイパス路を開閉する開閉部と、
前記全熱交換器において前記室外空気が熱交換されて流入する流入空気と冷媒との熱交換を行う外気処理熱交換器と、を備え、
前記バイパス路を流通する前記室内空気は、
前記外気処理熱交換器において熱交換された後の前記吹出空気に混合される
外気処理機。
【請求項９】
前記冷媒を膨張する外気処理膨張部を更に備える
請求項８記載の外気処理機。
【請求項１０】
前記室内空気が流通する内気路と前記吹出空気が流通する吹出路とは、隣り合っている
請求項１〜９のいずれか１項に記載の外気処理機。
【請求項１１】
前記内気導入部は、
前記装置本体において、前記バイパス路に対向する位置に設けられている
請求項１〜１０のいずれか１項に記載の外気処理機。
【請求項１２】
請求項８又は９記載の外気処理機、圧縮機、室外熱交換器、膨張部及び室内熱交換器が配管により接続された冷媒回路を備える
空気調和機。
【国際調査報告】
2015173909.tif 000013
2015173909.tif 000014
2015173909.tif 000015
2015173909.tif 000016